(57)【要約】【課題】  重量や大きさが異なる検査物に対する検査効率を向上させることが可能な放射能検査装置を提供する。【解決手段】  トレー４２上に支持部材４３を利用して２段に積層された状態の被検体Ｒａと被検体Ｒｂを、コンベア４により装置本体１内に同時に搬入して検査する場合、計数部１０２は、上段に配置された被検体Ｒａと近い位置関係にある放射線検出部７に配置された検出器７ａ〜７ｅを検出ブロックＡとし、下段に配置された被検体Ｒｂと近い位置関係にある検出器８ａ〜８ｂを検出ブロックＢとして、検出ブロックＡと検出ブロックＢの各々の放射線検出数を計数する。【選択図】        図５
2014163913.tif 000002
【特許請求の範囲】
【請求項１】
被検体から放射される放射線を検出する複数の放射線検出器と、前記複数の放射線検出器により検出された放射線検出数を計数する計数手段とを有する装置本体と、
前記装置本体に形成された搬入口から前記装置本体内に検査を行うべき被検体を搬入するとともに、前記装置本体に形成された搬出口から検査を終了した被検体を搬出するコンベアと、
前記計数手段により計測された放射線検出数に基づいて、被検体ごとの検査合否を判定する判定手段と、
を備えた放射能検査装置において、
前記コンベアにより前記装置本体内に搬送される単体の被検体を順次検査する単体検査モードと、前記コンベアにより前記装置本体内に同時に搬入される複数の被検体を順次検査する複数検査モードとを切り替える切替手段を備え、
前記計数手段は、前記切替手段により複数検査モードが選択されているときには、前記複数の放射線検出器を、前記コンベアにより前記装置本体内に同時に搬入される被検体の数に応じた検出ブロックに分割し、検出ブロックごとの放射線検出数を計数し、
前記判定手段は、前記切替手段により複数検査モードが選択されているときには、前記計数手段により計数された検出ブロックごとの計数値に基づいて、前記コンベアにより前記装置本体内に同時に搬入された被検体ごとの検査合否を判定することを特徴とする放射能検査装置。
【請求項２】
請求項１に記載の放射能検査装置において、
前記計数手段は、前記複数の放射線検出器を、各放射線検出器と前記コンベアにより前記装置本体内に同時に搬入される複数の被検体の各々との相対的な位置関係に基づいて、被検体の数に応じた検出ブロックに分割し、検出ブロックごとの放射線検出数を計数する放射能検査装置。
【請求項３】
請求項１に記載の放射能検査装置において、
表示手段と、
前記判定手段における判定結果を前記表示手段に表示させる表示制御部と、
をさらに備える放射能検査装置。
【請求項４】
請求項１に記載の放射能検査装置において、
前記計数手段は、前記切替手段により複数検査モードが選択されているときには、前記複数の放射線検出器を、前記コンベアにより前記装置本体内に同時に搬入される２段に積層された２個の被検体に応じて、前記コンベアの上方側に配設された放射線検出器により構成される第１検出ブロックと、前記コンベアの下方側に配設された放射線検出器により検出される第２検出ブロックとに分割し、第１検出ブロックと第２検出ブロックの放射線検出数を各々計数する放射能検査装置。
【発明の詳細な説明】
【技術分野】
【０００１】
この発明は、食品放射線スクリーニング検査装置等の放射能検査装置に関する。
【背景技術】
【０００２】
食品としての米に対して放射能検査を行う食品放射線スクリーニング検査装置においては、例えば、３０ｋｇの米を収納した米袋をコンベアにより搬送し、このコンベアの上下に配設した放射線検出器により米袋から放射されるガンマ線を検出する構成が採用されている。
【０００３】
なお、特許文献１には、医療用器具や食品中の異物などを非破壊で検査するための放射線検査装置が開示されている。また、特許文献２には、放射性物質取扱施設の管理区域で使用された物品等の放射能汚染を検査する物品搬出モニタが開示されている。
【先行技術文献】
【特許文献】
【０００４】
【特許文献１】特開２００３−１３０８１７号公報
【特許文献２】特開２００８−２４９６９２号公報
【発明の開示】
【発明が解決しようとする課題】
【０００５】
農産物などをコンベアにより搬送する従来の食品検査装置は、例えば、米袋に入れられた玄米３０ｋｇのように、出荷包装単位あたりの重量が重く、均一性の高い検査物を検査するのに適した装置構成となっている。このような装置で、出荷包装単位あたりの重量が数ｋｇ程度の検査物を検査すると、装置のスループットが低下する。例えば、３ｋｇ単位で箱詰めされた検査物を３０ｋｇ分検査しようとすると、１つの米袋に入れられた玄米３０ｋｇを検査するときに比べて、検査回数は１０倍になる。また、放射線の計数では統計的変動の影響を受けるため、１回の検査における測定精度を確保する観点から、個々の検査物に対する検査時間は、例えば、１０倍長くすることになる。すなわち、３ｋｇの検査物を検査する場合、装置のスループットは、３０ｋｇの検査物を検査する場合の１００分の一となる場合もある。
【０００６】
放射線の検出効率は、放射線検出器と線源である検査物との距離が大きくなるほど低下するため、検査物の重量や大きさに応じて、放射線検出器の位置を変更することも考えられるが、放射線検出器の可動操作に関し、操作者に対する安全設計が必要となる。そうすると、装置構成が複雑となり、装置が高額化する。
【０００７】
また、地域の集荷場に集められた後に包装されて出荷されることが多い農産物などの検査では、鮮度低下を防止する観点から、より短い時間で大量の検査物に対して検査が行えることが要請されている。さらに、従来は、収穫時期が異なる野菜や果物などの農産物を出荷前に検査する場合、各農産物により出荷包装単位の重量やサイズが異なるため、検査を実施している検査主体が、検査対象の重量やサイズに合わせて複数台の放射能検査装置を準備し、例えば、トマトの収穫時期には２ｋｇ単位で箱詰めされたトマトの検査に適した小サイズ用の装置として構成されている放射能検査装置を用いて検査し、米の収穫時期には３０キロ単位で包装された玄米の検査に適した大サイズ用の装置として構成されている放射能検査装置を用いて検査を行っていた。このように、収穫時期の一定の期間しか稼動させることができない放射能検査装置を複数台所有しなければならない状況は、ユーザにとっては不経済であるため、収穫時期が異なり、出荷包装単位あたりの重量が異なる多種の農産物を、年間を通じて、一台の検査装置で検査できることも要請されている。
【０００８】
この発明は上記課題を解決するためになされたものであり、重量や大きさが異なる検査物に対する検査効率を向上させることが可能な放射能検査装置を提供することを目的とする。
【課題を解決するための手段】
【０００９】
請求項１に記載の発明は、被検体から放射される放射線を検出する複数の放射線検出器と、前記複数の放射線検出器により検出された放射線検出数を計数する計数手段とを有する装置本体と、前記装置本体に形成された搬入口から前記装置本体内に検査を行うべき被検体を搬入するとともに、前記装置本体に形成された搬出口から検査を終了した被検体を搬出するコンベアと、前記計数手段により計測された放射線検出数に基づいて、被検体ごとの検査合否を判定する判定手段と、を備えた放射能検査装置において、前記コンベアにより前記装置本体内に搬送される単体の被検体を順次検査する単体検査モードと、前記コンベアにより前記装置本体内に同時に搬入される複数の被検体を順次検査する複数検査モードとを切り替える切替手段を備え、前記計数手段は、前記切替手段により複数検査モードが選択されているときには、前記複数の放射線検出器を、前記コンベアにより前記装置本体内に同時に搬入される被検体の数に応じた検出ブロックに分割し、検出ブロックごとの放射線検出数を計数し、前記判定手段は、前記切替手段により複数検査モードが選択されているときには、前記計数手段により計数された検出ブロックごとの計数値に基づいて、前記コンベアにより前記装置本体内に同時に搬入された被検体ごとの検査合否を判定することを特徴とする。
【００１０】
請求項２に記載の発明は、請求項１に記載の発明において、前記計数手段は、前記複数の放射線検出器を、各放射線検出器と前記コンベアにより前記装置本体内に同時に搬入される複数の被検体の各々との相対的な位置関係に基づいて、被検体の数に応じた検出ブロックに分割し、検出ブロックごとの放射線検出数を計数する。
【００１１】
請求項３に記載の発明は、請求項１に記載の発明において、表示手段と、前記判定手段における判定結果を前記表示手段に表示させる表示制御部と、をさらに備える。
【００１２】
請求項４に記載の発明は、請求項１に記載の発明において、前記計数手段は、前記切替手段により複数検査モードが選択されているときには、前記複数の放射線検出器を、前記コンベアにより前記装置本体内に同時に搬入される２段に積層された２個の被検体に応じて、前記コンベアの上方側に配設された放射線検出器により構成される第１検出ブロックと、前記コンベアの下方側に配設された放射線検出器により検出される第２検出ブロックとに分割し、第１検出ブロックと第２検出ブロックの放射線検出数を各々計数する。
【発明の効果】
【００１３】
請求項１に記載の発明によれば、検査モードを切り替える切替手段を備え、装置本体内に同時に搬入される複数の被検体を順次検査することが可能となることから、重量が軽くサイズが小さい被検体を多量に検査する場合でも、装置を複数検査モードで動作させることにより、被検体の数より大幅に少ない検査回数で、全ての被検体の検査を実施することができる。このため、多量の被検体を効率的に検査することが可能となる。また、検査モードの切り替えにより、多種多様な農産物のスクリーニング検査においても、年間を通じて１台の装置により検査を行うことが可能となる。
【００１４】
請求項２に記載の発明によれば、計数手段は、複数の放射線検出器を、各放射線検出器とコンベアにより装置本体内に同時に搬入される複数の被検体の各々との相対的な位置関係に基づいて、被検体の数に応じた検出ブロックに分割し、検出ブロックごとの放射線検出数を計数することから、各被検体の放射能濃度を精度よく求めることが可能となる。
【００１５】
請求項３に記載の発明によれば、表示制御部により、選択されている検査モードに応じた検査結果の表示画面を表示手段に表示することができる。
【００１６】
請求項４に記載の発明によれば、軽量でサイズが小さい２個の被検体を２段に積層して同時に検査できることから、多量の被検体を検査する場合でも、検査回数を被検体の数の２分の１の回数とすることができ、多量の被検体の全件検査を、より短時間で実施することが可能となる。
【図面の簡単な説明】
【００１７】
【図１】この発明に係る放射能検査装置の斜視図である。
【図２】この発明に係る放射能検査装置の正断面概要図である。
【図３】この発明に係る放射能検査装置のフレーム１１の上部および放射線遮蔽部材５等を取り外して見た平面概要図である。
【図４】この発明に係る放射線検査装置の制御系の主要な構成を説明するブロック図である。
【図５】コンベア４により装置本体１内に同時に搬入される複数の被検体Ｒと放射線検出器との位置関係を示す説明図である。
【図６】コンベア４により装置本体１内に同時に搬入される複数の被検体Ｒと放射線検出器との位置関係を示す説明図である。
【図７】表示部９に表示される検査結果の表示画面の一例を示す画面構成図である。
【図８】表示部９に表示される検査結果の表示画面の一例を示す画面構成図である。
【発明を実施するための形態】
【００１８】
以下、この発明の実施の形態を図面に基づいて説明する。図１は、この発明に係る放射能検査装置の斜視図である。図２は、この発明に係る放射能検査装置の正断面概要図である。図３は、この発明に係る放射能検査装置のフレーム１１の上部および放射線遮蔽部材５等を取り外して見た平面概要図である。
【００１９】
この放射能検査装置は、例えば出荷包装された農産物などの被検体Ｒに対して放射能検査を実行するための食品放射能スクリーニング検査装置であり、被検体Ｒを搬入するための搬入口２と、被検体Ｒを搬出するための搬出口３とが形成されたフレーム１１を有する装置本体１と、搬入口２から装置本体１内に被検体Ｒを搬入するとともに、搬出口３から検査を終了した被検体Ｒを搬出する一対のコンベア４（これらを総称する場合には、単に「コンベア４」という）と、検査結果を表示するための表示部９とを備える。なお、この表示部９は、タッチパネル機能を有する液晶ディスプレイであり、オペレータからの各種入力操作を受け付ける入力装置としても機能する。
【００２０】
装置本体１内のコンベア４の上方の位置には、被検体Ｒから放射される放射線を検出する検出器から構成される放射線検出部７を有する第１検出ユニット１０が配設されている。そして、この第１検出ユニット１０は、放射線の遮蔽効果を有する鉛から構成され、放射線検出部７における下側（コンベア４側）の領域以外の領域を囲う形状を有する放射線遮蔽部材５と、フレーム１１に接続され、放射線遮蔽部材５を支持する支持板１２とから構成される。放射線遮蔽部材５は、コンベア４の上方において、搬入口２方向に向けてコンベア４による被検体の搬送方向と逆方向に延びる庇部５１と、コンベア４の上方において、搬出口３方向に向けてコンベア４による被検体Ｒの搬送方向に延びる庇部５２とを備える。また、支持板１２には、放射線遮蔽部材５における下側を向く開口部と対応する開口部が形成されている。
【００２１】
一方、装置本体１内のコンベア４の下方の位置には、被検体Ｒから放射される放射線を検出する検出器から構成される放射線検出部８を有する第２検出ユニット２０が配設されている。そして、この第２検出ユニット２０は、放射線の遮蔽効果を有する鉛から構成され、放射線検出部８における上側（コンベア４側）の領域以外の領域を囲う形状を有する放射線遮蔽部材６と、フレーム１１に接続され、放射線遮蔽部材６を支持する支持板１３とから構成される。この放射線遮蔽部材６は、コンベア４の下方において、搬入口２方向に向けてコンベア４による被検体Ｒの搬送方向と逆方向に延びる庇部６１と、コンベア４の下方において、搬出口３方向に向けてコンベア４による被検体Ｒの搬送方向に延びる庇部６２とを備える。
【００２２】
また、上述した第１検出ユニット１０および第２検出ユニット２０において、放射線検出部７における放射線の検出面は、放射線遮蔽部材５における庇部５１および庇部５２の下面より上方に配置されており、放射線検出部８における放射線の検出面は、放射線遮蔽部材６における庇部６１および庇部６２の上面より下方に配置されている。
【００２３】
放射線遮蔽部材５および放射線遮蔽部材６は鉛から構成されることから、その重量が大きなものとなる。このため、この放射能検査装置においては、コンベア４の両側から放射線遮蔽部材５および放射線遮蔽部材６を支持するガントリー構造の装置本体１を採用している。なお、ガントリー構造とは、門型の装置本体１が固定され、この装置本体１に対してコンベア４により被検体Ｒが移動する構造を指す。
【００２４】
装置本体１の搬入口２側に配設されたコンベア４と搬出口３側に配設されたコンベア４との間には、案内板４１が配設されている。この案内板４１は、例えば、カーボン等の放射線吸収率の低い材質から構成されている。このため、被検体Ｒからの放射線を、コンベア４により遮断されることなく、放射線検出部８により効率的に検出することが可能となる。
【００２５】
図４は、この発明に係る放射線検査装置の制御系の主要な構成を説明するブロック図である。
【００２６】
上述した放射線検出部７および放射線検出部８は、図３にも示すように、コンベア４による被検体Ｒの搬送方向と直交する方向に、５個の検出器７ａ〜７ｅおよび５個の検出器８ａ〜８ｅをそれぞれ列設した構成を有する。これらの検出器７ａ〜７ｅおよび検出器８ａ〜８ｅは、例えば、シンチレータとフォトマルチプライヤーとを組み合わせることにより、放射線遮蔽部材５または放射線遮蔽部材６における開口部から入射する放射線を検出する。放射線検出部７および放射線検出部８における放射線の検出領域の被検体Ｒの搬送方向と直交する方向の幅は、被検体Ｒの搬送方向と直交する方向における搬入口２の幅と略同一となっている。なお、放射線検出部７および放射線検出部８に配置される検出器の数や列設方向は、この実施形態に限定されるものではない。すなわち、放射線検出部７および放射線検出部８に配置される検出器の数はそれぞれ１個であってもよく、コンベア４による被検体Ｒの搬送方向に対して複数の検出器を行列配置させてもよい。
【００２７】
検出器７ａ〜７ｅおよび検出器８ａ〜８ｅは、制御部１００と接続されている。制御部１００はＣＰＵ等の演算装置、ＲＡＭ、ＲＯＭ等の記憶装置を備え、この放射能検査装置の動作全体を制御する制御装置として機能する。そして、この制御部１００は、機能的構成として、検査モード切替部１０１と、計数部１０２と、判定部１０３と、表示制御部１０４とを備える。さらに、制御部１００は、表示部９とも接続されている。
【００２８】
検査モード切替部１０１は、オペレータからの表示部９を介した選択操作に基づいて、コンベア４により装置本体１内に搬入される単体の被検体Ｒを順次検査する単体検査モードと（図２参照）、コンベア４により装置本体１内に同時に搬入される複数の被検体Ｒを順次検査する複数検査モード（後述する図５および図６参照）とを切り替える。検査モード切替部１０１は、この発明の切替手段として機能する。
【００２９】
計数部１０２は、検査モード切替部１０１により単体検査モードが選択されているときには、検出器７ａ〜７ｅおよび検出器８ａ〜８ｅの全ての放射線検出数を一括して計数する。一方、計数部１０２は、検査モード切替部１０１において複数検査モードが選択されているときには、検出器７ａ〜７ｅおよび検出器８ａ〜８ｅを、コンベア４により装置本体１内に同時に搬入される被検体Ｒの数に応じた検出ブロックに分割し、検出ブロックごとの放射線検出数を計数する。そして、計数部１０２は、計数値に基づいて、コンベア４により装置本体１内を搬送された各被検体Ｒの計数率（ｃｐｓ）を算出する。計数部１０２は、この発明の計数手段に相当する。
【００３０】
この発明における検出ブロックとは、放射線検出部７に配置された検出器７ａ〜７ｅ、放射線検出部８に配置された検出器８ａ〜８ｅの各々と、装置本体１内に同時に搬入される被検体Ｒの各々との相対的な位置関係に基づいて、検出器７ａ〜７ｅ、検出器８ａ〜８ｅが、１の被検体Ｒからの放射線を検出するグループに区分けされることにより構成されるものである。そして、検出器７ａ〜７ｅ、検出器８ａ〜８ｅ、を検出ブロックに分割するとは、例えば、複数の被検体Ｒが装置本体１内を同時に通過するときに、ある被検体Ｒからみて近い位置関係にある検出器に、その被検体Ｒが通過する一定の領域の検出器としての役割を割り当てることでもある。なお、検出ブロックを構成する検出器の数は、複数でもよく、単数であってもよい。
【００３１】
判定部１０３は、検査モード切替部１０１において単体検査モードが選択されているときには、コンベア４により搬送され、装置本体１内を通過した単体の被検体Ｒの計数率（ｃｐｓ）と被検体Ｒの重量から、被検体Ｒの放射能濃度（Ｂｑ／ｋｇ）を求める。一方、判定部１０３は、検査モード切替部１０１において複数検査モードが選択されているときには、コンベア４により搬送され、装置本体１内を同時に通過した複数の被検体Ｒについて、被検体Ｒごとの計数率（ｃｐｓ）と被検体Ｒごとの重量から、各被検体Ｒの放射能濃度（Ｂｑ／ｋｇ）を求める。そして、判定部１０３は、これら被検体Ｒの放射能濃度が、スクリーニングレベルなどの判定基準（例えば、５０Ｂｑ／ｋｇ）以上の値であれば、その被検体Ｒは検査不合格であると判定し、判定基準を超えない値であれば、その被検体Ｒは検査合格であると判定する。
【００３２】
表示制御部１０４は、表示部９にオペレータの操作を受け付ける各種ボタンを表示するとともに、選択されている検査モードに応じて、表示部９に表示させる検査合否の判定結果表示画面を切り換える表示制御を実行する。
【００３３】
上述した構成を有する放射線検査装置における、複数検査モードでの検査について、さらに説明する。図５および図６は、コンベア４により装置本体１内に同時に搬入される複数の被検体Ｒと検出器７ａ〜７ｅおよび検出器８ａ〜８ｅとの位置関係を示す説明図である。
【００３４】
図５には、検査モードとして複数検査モードが選択されている状態において、２段に積層された被検体Ｒａおよび被検体Ｒｂを同時に装置本体１内に搬入して検査を行う様子を、正面視から模式的に示している。図５に示すように、トレー４２上に支持部材４３を利用して２段に積層された状態の被検体Ｒａと被検体Ｒｂを、コンベア４により装置本体１内に同時に搬入して検査する場合、計数部１０２は、上段に配置された被検体Ｒａと近い位置関係にある放射線検出部７に配置された検出器７ａ〜７ｅを検出ブロックＡとし、下段に配置された被検体Ｒｂと近い位置関係にある検出器８ａ〜８ｂを検出ブロックＢとして、検出ブロックＡと検出ブロックＢの各々の放射線検出数を計数する。
【００３５】
ここで、図５に示すように、２個の被検体Ｒａおよび被検体Ｒｂを装置本体１内に同時に搬入して検査を行う場合、被検体Ｒａからの放射線を検出する検出ブロックＡ側の計数値に被検体Ｒｂからの放射線が影響を及ぼし、被検体Ｂｂからの放射線を検出する検出ブロックＢ側の計数値に被検体Ｒａからの放射線が影響を及ぼす、クロストークが問題となる。このため、この実施形態では、以下の二元一次方程式（１）（２）を、検出ブロックＡの計数率ｎＡおよび検出ブロックＢの計数率ｎＢについて立てることにより、被検体Ｒａの放射能ｘと被検体Ｒｂの放射能ｙを個別に求めることを可能としている。
【００３６】
Ａ１＊ｘ＋Ａ２＊ｙ＝ｎＡ  ・・・  （１）
Ｂ１＊ｘ＋Ｂ２＊ｙ＝ｎＢ  ・・・  （２）
Ａ１は、検出ブロックＡの被検体Ｒａに対する感度（ｃｐｓ／Ｂｑ）、Ａ２は、検出ブロックＡの被検体Ｒｂに対する感度（ｃｐｓ／Ｂｑ）、Ｂ１は、検出ブロックＢの被検体Ｒａに対する感度（ｃｐｓ／Ｂｑ）、Ｂ２は、検出ブロックＢの被検体Ｒａに対する感度（ｃｐｓ／Ｂｑ）、ｘは、被検体Ｒａの放射能（Ｂｑ）、ｙは、被検体Ｒｂの放射能（Ｂｑ）、ｎＡは、検出ブロックＡでの計数率（ｃｐｓ）、ｎＢは、検出ブロックＢでの計数率（ｃｐｓ）である。
【００３７】
式（１）（２）におけるＡ１、Ａ２、Ｂ１およびＢ２は、放射能検査装置ごとに取得される装置固有の定数であり、ｎＡおよびｎＢは、１回の検査ごと（被検体Ｒａおよび被検体Ｒｂが同時に装置本体１内を通過するごと）に得られる計測値である。したがって、式（１）（２）からなる連立方程式を解くことにより、検出ブロックＡと検出ブロックＢにより同時に計測されるｎＡ、ｎＢから、被検体Ｒａおよび被検体Ｒｂの個々の放射能ｘ、ｙを求めることができ、放射能濃度を算出することができる。このように、被検体Ｒａおよび被検体Ｒｂの放射能濃度を個別に算出できることから、判定部１０３においては、被検体Ｒａおよび被検体Ｒｂの検査合否の判定を個別に行うことができる。
【００３８】
なお、図５に示す例では、２個の被検体Ｒａおよび被検体Ｒｂを同時に装置本体１内に搬入する際に、支持部材４３における仕切り板４４に被検体Ｒａを載置するようにしている。この仕切り板４４は、被検体Ｒａと放射線検出部７（検出ブロックＡ）との距離が、被検体Ｒｂと放射線検出部８（検出ブロックＢ）との距離と等しくなるように、高さ位置が調整可能なものとなっている。そして、この仕切り板４４を、鉛などの遮蔽体により構成し、クロストークをゼロにすることができれば、上述した式（１）および（２）において、Ａ２＝Ｂ２＝０となり、より簡易な計算により被検体Ｒａと被検体Ｒｂの個々の放射能ｘ、ｙを求めることができる。
【００３９】
また、２個の被検体Ｒａおよび被検体Ｒｂを積層する際に用いる支持部材４３は、上述した仕切り板４４を備えるものに限定されない。すなわち、上段側の被検体Ｒａと放射線検出部７との距離を調整可能なものであれば、例えば農産物の出荷用包装箱の空き箱などであってもよい。なお、空き箱を支持部材４３のかわりに被検体Ｒａと被検体Ｒｂの間に挿入して用いる場合には、鉛などの遮蔽板をこの空き箱の底に敷くことにより、クロストークの影響を低減することができる。
【００４０】
図５においては、２個の被検体Ｒａおよび被検体Ｒｂを同サイズのものとして図示しているが、例えば、被検体Ｒａが被検体Ｒｂよりもさらに小さいサイズである場合でも、上述した式（１）および（２）を用いて被検体Ｒａおよび被検体Ｒｂの個々の放射能を求めることは可能である。さらに、上述のように、装置本体１内に同時に搬入される被検体Ｒが２個の場合は、上述した式（１）および（２）に示すようにｘ、ｙを変数とする二元一次方程式を用いて、放射能を求めているが、さらに、装置本体１内に同時に搬入される被検体Ｒが３個以上の場合には、被検体Ｒの数に応じた変数を持つ多元一次方程式を用いることにより、個々の被検体Ｒの放射能を求めることが可能となる。
【００４１】
図６には、検査モードとして複数検査モードが選択されている状態において、搬送方向に直交する方向に、互いに離間させてトレー４２上に載置した被検体Ｒａおよび被検体Ｒｂを同時に装置本体１内に搬入して検査を行う様子を、側面視により模式的に示している。図６に示すように、トレー４２上に被検体Ｒａと被検体Ｒｂを、搬送方向に直交する方向に離間させて載置して、コンベア４により装置本体１内に同時に搬入して検査する場合、計数部１０２は、被検体Ｒａと近い位置関係にある放射線検出部７の検出器７ａ、７ｂ、放射線検出部８の検出器８ａ、８ｂを検出ブロックＡとし、被検体Ｒｂと近い位置関係にある放射線検出部７の検出器７ｄ、７ｅ、放射線検出部８の検出器８ｄ、８ｅを検出ブロックＢとして、検出ブロックＡと検出ブロックＢの各々の放射線検出数を計数する。なお、この実施形態では、計数部１０２において、被検体Ｒａと被検体Ｒｂのどちらとも等しい距離にある放射線検出部７の検出器７ｃと放射線検出部８の検出器８ｃからの放射線検出数は計数しない構成としている。
【００４２】
この発明においては、検出器と装置本体１内に搬入される被検体との相対的な位置関係に基づいて、被検体Ｒの数に応じた検出ブロックに検出器７ａ〜７ｅ、８ａ〜８ｅを分割している。相対的な位置関係とは、ある検出器に対して、ある被検体Ｒが他の被検体Ｒより近い位置にあるか否かという比較要素を含む概念である。したがって、この図６に示す例では、検出器７ｃおよび検出器８ｃのように、被検体Ｒａと被検体Ｒｂのどちらにより距離が近いか否かが判断できない検出器は、いずれの検出ブロックにも属さないものとして扱っている。
【００４３】
上述した構成を有する放射線検査装置における、表示部９への検査結果の表示の態様を、図７および図８を参照してさらに説明する。図７および図８は、表示部９に表示される検査結果の表示画面の一例を示す画面構成図である。
【００４４】
表示部９に表示される検査結果の表示画面には、検査条件などが表示される条件表示領域１３１と、判定部１０３における検査合否の判定結果が表示される結果表示領域１４０と、検査中の放射線の計数率をリアルタイムで表示するリアルタイムカウント表示領域１３２と、現在表示されている結果表示画面から、検査モードの選択画面などに移動可能とするメニューボタン１３３がレイアウトされている。
【００４５】
図７に示す画面は、検査モードとして、単体検査モードが選択されているときの検査結果の表示画面である。結果表示領域１４０には、ＩＤ番号、放射能濃度（Ｂｑ／ｋｇ）とともに、検査合否の判定結果が表示される。図７に示す画面におけるＩＤ番号は、コンベア４により搬送される順番に従って各被検体Ｒに与えられる番号である。この実施形態では、判定部１０３において被検体Ｒの放射能濃度が判定基準を超えていないと判定されたときは「○」、判定基準以上であると判定されたときは「×」を、検査合否の判定結果として表示している。また、結果表示領域１４０には、検査開始と停止を行うことを可能とする選択ボタン１４５、１４６が表示される。
【００４６】
図８に示す画面は、検査モードとして、複数検査モードが選択されているときの検査結果の表示画面である。この図８においては、図５および図６に示すように、２個の被検体Ｒａおよび被検体Ｒｂを同時に装置本体１内に搬入して検査するときの検査結果を表示する画面構成となっている。結果表示領域１４０には、ＩＤ番号、複数の被検体Ｒの各放射能濃度（Ｂｑ／ｋｇ）とともに、複数の被検体Ｒの検査合否の判定結果が表示される。このように、この実施形態では、コンベア４に搬送されて装置本体１内を同時に通過することで、同時に放射能検査が行われる複数の被検体Ｒの検査結果を、１画面で表示できる構成としている。
【００４７】
なお、図８に示す画面におけるＩＤ番号は、図５および図６に示すように、装置本体１内を同時に通過する複数の被検体Ｒを一塊として、コンベア４により搬送される順番に従って複数の被検体Ｒの塊に与えられる番号である。したがって、複数検査モードにおいては、単体検査モードのように、ＩＤ番号が被検体Ｒと一対一で対応しないことになる。そうすると、ＩＤ番号の重複により、同じ内部ＩＤを持つ複数の検査データが記憶装置に記憶され、後からオペレータが結果を参照するときに、検査データと個々の被検体Ｒとの対応付けが出来なくなる不都合が生じることがある。
【００４８】
このため、この実施形態では、放射線計測結果および検査合否の判定結果などの検査データを記憶装置に格納する際には、ＩＤ番号の情報に、さらに、検出ブロックの情報を付加することなどにより、検査データと被検体Ｒとの対応付けが明確になるようにしている。例えば、図５および図６に示す、検出ブロックＡの計数率から放射能濃度が求められた被検体Ｒａの検査データを記憶装置に記憶するときには、ＩＤ番号１３に換えて１３ａ、検出ブロックＢの計数率から放射能濃度が求められた被検体Ｒａの検査データを記憶装置に記憶するときには、ＩＤ番号１３に換えて１３ｂ、をデータ格納時に付与することで、検査データと個々の被検体Ｒとの対応を明確にすることができる。
【００４９】
上述したように、この発明に係る放射能検査装置においては、単体検査モードを選択すれば、重量の重い被検体Ｒをコンベア４により連続して搬送しながら放射能検査を実行することが可能であり、複数検査モードを選択すれば重量が軽くサイズが小さい被検体Ｒを複数同時に装置本体１内にコンベア４により連続して搬送しながら放射能検査を実行することが可能である。このように、この発明に係る放射能検査装置は、検査モードを切り替えることにより、重量やサイズが異なる様々な物品を検査対象にできることから、収穫時期が異なり、出荷包装単位あたりの重量が異なる多種の農産物を、年間を通じて、一台の検査装置で検査することができる。
【００５０】
さらに、この発明に係る放射能検査装置においては、複数検査モードを選択することで、軽量の被検体Ｒの全てに対してスクリーニング検査を実行する場合においても、検査を短時間で完了することが可能となる。例えば、従来は、３ｋｇの被検体Ｒを３０ｋｇ分検査するときに、３ｋｇの被検体Ｒを、個別に１０回に分けてコンベア４により搬送して検査していたが、この発明に係る放射能検査装置の複数検査モードでは、この検査回数を５回以下にすることができる。このように、検査回数を減少させることで、検査時間を短縮することが可能となる。
【符号の説明】
【００５１】
１      装置本体
２      搬入口
３      搬出口
４      コンベア
５      放射線遮蔽部材
６      放射線遮蔽部材
７      第１放射線検出部
７ａ〜７ｅ      検出器
８      第２放射線検出部
８ａ〜８ｅ      検出器
９      表示部
１０    第１検出ユニット
１１    フレーム
１２    支持板
１３    支持板
２０    第２検出ユニット
４１    案内板
４２    トレー
４３    支持部材
４４    仕切り板
５１    庇部
５２    庇部
６１    庇部
６２    庇部
１０１    検査モード切替部
１０２    計数部
１０３    判定部
１０４    表示制御部
Ｒ      被検体
【図１】
2014163913.tif 000003
【図２】
2014163913.tif 000004
【図３】
2014163913.tif 000005
【図４】
2014163913.tif 000006
【図５】
2014163913.tif 000007
【図６】
2014163913.tif 000008
【図７】
2014163913.tif 000009
【図８】
2014163913.tif 000010